(57)【要約】【課題】  比較的少ない手間や作業工数で製作でき、製作コストを削減することができるリキッドタンク保持具を提供する。【解決手段】  一側にコンデンサ６への取付部８、他側にバーリングねじ孔をそれぞれ有し、中間部にリキッドタンク４を支持する支持部５を備えた取付ブラケット２と、一側に取付部８に連結される連結部１２、他側にねじ挿通孔およびかぎ部１４をそれぞれ有し、中間部にリキッドタンク４を支持部５へ締付ける締付部１１を備えた押えブラケット３とから構成した。これにより、取付ブラケット２および押えブラケット３の各一側を連結した状態でコンデンサ６へ取付けてリキッドタンク４を保持するので各ブラケット２，３に掛かる力が分散して少なくて済み、ブラケット２，３の連結部分に施すスポット溶接の箇所を少なくでき、また、バーリングねじ孔８、９を設けることによりナットを設ける必要がない。【選択図】    図１
2007113792.tif 000002
【特許請求の範囲】
【請求項１】
一側にコンデンサ（６）へ取付けられる前記取付部（８）、他側にねじ部材（１７）が螺合するねじ孔（１０）をそれぞれ有し、中間部にリキッドタンク（４）を支持する支持部（５）を備えた取付ブラケット（２）と、
一側に前記取付部（８）と連結される連結部（１１）、他側に前記ねじ部材（１７）が挿通されるねじ挿通孔（１６）をそれぞれ有し、中間部に前記リキッドタンク（４）を前記支持部（５）へ締付ける締付部（１１）を備えた押えブラケット（３）とからなり、
前記支持部（５）の前記取付部（８）側に支持終端部（５ａ）を有し、前記押えブラケット（３）の他側先端にかぎ部（１４）を有することを特徴とするリキッドタンク保持具（１）。
【発明の詳細な説明】
【技術分野】
【０００１】
本発明は、車両用空調装置などに設けられるリキッドタンク保持具に関する。
【背景技術】
【０００２】
この種の従来技術に関連するものとして、例えば、特許文献１に記載されている「カークーラー用凝縮器」が挙げられる。これは図７〜図９に示すように、熱交換器本体１０１と、この熱交換器本体１０１に出口管１０２を介して接続されるリキッドタンク１０３と、このリキッドタンク１０３を保持するリキッドタンク保持具１０４と、リキッドタンク１０３から冷媒を導出する冷媒導出管１０５などとから構成されている。上記のリキッドタンク保持具１０４は、熱交換器本１０１側に取付けられる第１ブラケット部材１０６と、リキッドタンク１０３側に取付けられる第２ブラケット部材１０７とからなっている。この第２ブラケット部材１０７は、図９に示すように、中間部が円筒状に形成され、両端部が径方向へ平行して延びている。これらのうち一端側にかぎ部１０８及びねじ挿通孔１０９が形成され、他端側にナット１１０が溶接付けされている。また第２ブラケット部材１０７は、第１ブラケット部材１０６の先端部に連結され、この連結部が複数個所、例えば６箇所のスポット溶接により固定されている。
【０００３】
このような従来技術にあっては、第１ブラケット部材１０６の一端に第２ブラケット部材１０７を装着して溶接付けし、第１ブラケット部材１０６の他端を熱交換器本体１０１に固定するとともに、第２ブラケット部材１０７の中間部にリキッドタンク１０３を挿入した後、一端側のねじ挿通孔１０９にねじ部材１１１を挿通して他端側のナット１１０に螺合し、一端側のかぎ部１０８が他端側に当接する状態でねじ部材１１１を締め込むことにより、第１ブラケット部材１０６および第２ブラケット部材１０７を介してリキッドタンク１０３が熱交換器本体１０１により保持される。
【特許文献１】特開平８−３３４２９４号公報（段落番号００２０〜００２３、図１〜図３）
【発明の開示】
【発明が解決しようとする課題】
【０００４】
ところで、前記した従来のリキッドタンク保持具では、第１ブラケット部材１０６の先端部に第２ブラケット部材１０７を固定するために多数箇所、例えば６箇所のスポット溶接を行うとともに、第２ブラケット部材１０７の他端側にナット１１０を溶接付けする必要があるため、当該リキッドタンク保持具を製作するのに比較的多くの手間や作業工数を要するという問題があった。
【０００５】
そこで、本発明は、前記した課題を解決すべくなされたものであり、比較的少ない手間や作業工数でリキッドタンク保持具を製作でき、製作コストを削減することのできるリキッドタンク保持具を提供することを目的とする。
【課題を解決するための手段】
【０００６】
上記目的を達成するため本発明は、一側にコンデンサへ取付けられる前記取付部、他側にねじ部材が螺合するねじ孔をそれぞれ有し、中間部にリキッドタンクを支持する支持部を備えた取付ブラケットと、一側に前記取付部と連結される連結部、他側に前記ねじ部材が挿通されるねじ挿通孔をそれぞれ有し、中間部に前記リキッドタンクを前記支持部へ締付ける締付部を備えた押えブラケットとからなり、前記支持部の前記取付部側に支持終端部を有し、前記押えブラケットの他側先端にかぎ部を有することを特徴とする。
【発明の効果】
【０００７】
本発明によれば、取付ブラケットおよび押えブラケットを組み合わせて、取付ブラケットの取付部と押えブラケットの連結部とを連結した状態でコンデンサに取付けることにより、当該リキッドタンク保持具をコンデンサに固定した後、取付ブラケットの支持部および押えブラケットの締付部間にリキッドタンクを挿入して、ねじ部材を押えブラケット他側のねじ挿通孔に挿通して取付ブラケット他側のねじ孔に螺合させて、この取付ブラケット他側に押えブラケットの他側先端のかぎ部が当接する状態で、上記のねじ部材を締め込むことにより、リキッドタンクを当該リキッドタンク保持具により保持する。これにより、取付ブラケットの取付部および押えブラケットの連結部を連結した状態でコンデンサに取付けてリキッドタンクを保持するので、取付ブラケットおよび押えブラケットのそれぞれに掛かる力が分散して少なくて済み、これらのブラケット間の連結部分に施すスポット溶接の箇所を少なくできる。また、バーリングねじ孔を設けることにより、ナットの溶接付けを省略することができる。したがって、比較的少ない手間や作業工数でリキッドタンク保持具を製作でき、製作コストを削減することができる。
【発明を実施するための最良の形態】
【０００８】
以下、本発明を適用した具体的な実施の形態について図面を参照しながら詳細に説明する。
【０００９】
図１は本発明の一実施形態に係るリキッドタンク保持具によりリキッドタンクを保持する状態を示す斜視図、図２は本実施形態に設けられる取付ブラケットおよび押えブラケットの斜視図、図３は取付ブラケットおよび押えブラケットの平面図、図４は図３のＡ−Ａ線に沿う断面図、図５は取付ブラケットおよび押えブラケットの正面図、図６は取付ブラケットおよび押えブラケットを裏側から見た図である。
【００１０】
本実施形態のリキッドタンク保持具１は、図１〜図６に示すように、主として１組の取付ブラケット２および押えブラケット３から構成されている。
【００１１】
取付ブラケット２は比較的厚い成形板からなり、中間部にリキッドタンク４の外周面に当接し、リキッドタンク４を支持する略半円筒状の支持部５を備えている。取付ブラケット２の一端は径方向に延び、コンデンサ６のブラケット７に取付けられる取付部８が設けられており、この取付部８には、上下一対のバーリングねじ孔９、９が形成されている。取付ブラケット２の他端は、上記一端と平行に逆方向へ延びて、１つのバーリングねじ孔１０が設けられている。なお、支持部５の取付部８側には支持終端部５ａが設けられている。
【００１２】
一方、押えブラケット３は比較的薄い成形板からなり、中間部にリキッドタンク４の外周面に当接し、リキッドタンク４を上記の支持部５へ締付ける略半円筒状の締付部１１を備えている。押えブラケット３の一端は径方向に延び、前記の取付部８に連結される連結部１２が設けられており、この連結部１２には、上記のバーリングねじ孔９，９とそれぞれ対向する上下一対のねじ挿通孔１３，１３が形成されている。押えブラケット３の他端は、上記一端と平行に逆方向へ延びて、その先端にかぎ部１４を有し、上記のバーリングねじ孔１０に対向するねじ挿通孔１５が形成されている。上記のねじ挿通孔１３，１３には一対のねじ部材１６、１６がそれぞれ挿通され、バーリングねじ孔９，９に螺合する。同様に、上記のねじ挿通孔１５にはねじ部材１７が挿通され、バーリングねじ孔１０に螺合する。
【００１３】
この実施形態にあっては、まず取付ブラケット２および押えブラケット３を組み合わせて、取付ブラケット２の取付部８と押えブラケット３の連結部１２とを連結した部分に２箇所のスポット溶接部１８，１８を施した後、上記の取付部８および連結部１２をコンデンサ６のブラケット７に取付ける。このとき、連結部１２を介設した状態で取付ブラケット２の取付部８をコンデンサ６のブラケット７に取付けた後、一対のねじ部材１６、１６を一端のねじ挿通孔１３，１３にそれぞれ挿通してバーリングねじ孔９，９に螺合させて上記のねじ部材１６、１６を締め込む。
【００１４】
このようにして当該リキッドタンク保持具１をコンデンサ６のブラケット７に固定した後、取付ブラケット２の支持部５および押えブラケット３の締付部１１間にリキッドタンク４を挿入して、ねじ部材１７を他端のねじ挿通孔１５に挿通してバーリングねじ孔９に螺合させ、押えブラケット３他端のかぎ部１４が取付ブラケット２他端に当接した状態で上記のねじ部材１７を締め込むことにより、当該リキッドタンク保持具１を介してコンデンサ６によりリキッドタンク４を保持する。
【００１５】
このように構成した実施形態では、取付ブラケット２の取付部８および押えブラケット３の連結部１２を連結した状態でコンデンサ６のブラケット７に取付けてリキッドタンク４を保持するので、取付ブラケット２および押えブラケット３のそれぞれに掛かる力が分散して少なくて済み、これらのブラケット２，３を連結した部分に施すスポット溶接の箇所を少なくでき、また、取付ブラケット２の両端にバーリングねじ孔８、９を設けることにより、従来のようなナットの溶接付けを省略することができる。したがって、比較的少ない手間や作業工数でリキッドタンク保持具１を製作することができる。
【産業上の利用可能性】
【００１６】
本発明は、比較的少ない手間や作業工数でリキッドタンク保持具を製作でき、製作コストを削減できるという効果があるので、車両用空調装置の熱交換器、例えばコンデンサに適用できるとともに、その他、一般機械用あるいは産業機械用空調装置などの熱交換器に広く適用可能である。
【図面の簡単な説明】
【００１７】
【図１】本発明の一実施形態に係るリキッドタンク保持具によりリキッドタンクを保持する状態を示すである。
【図２】本実施形態に設けられる取付ブラケットおよび押えブラケットの斜視図である。
【図３】取付ブラケットおよび押えブラケットの平面図である。
【図４】図３のＡ−Ａ線に沿う断面図である。
【図５】取付ブラケットおよび押えブラケットの正面図である。
【図６】取付ブラケットおよび押えブラケットを裏側から見た図である。
【図７】従来のリキッドタンク保持具を備えたカークーラー用凝縮器を示す正面図である。
【図８】図７のリキッドタンク保持具の正面図である。
【図９】図７のリキッドタンク保持具の平面図である。
【符号の説明】
【００１８】
１  リキッドタンク保持具
２  取付ブラケット
３  押えブラケット
４  リキッドタンク
５  支持部
５ａ  支持終端部
６  コンデンサ
７  ブラケット
８  取付部
９  バーリングねじ孔（ねじ孔）
１０  バーリングねじ孔（ねじ孔）
１１  締付部
１２  連結部
１３  ねじ挿通孔
１４  かぎ部
１５  ねじ挿通孔
１６、１７  ねじ部材
１８  スポット溶接部
【図１】
2007113792.tif 000003
【図２】
2007113792.tif 000004
【図３】
2007113792.tif 000005
【図４】
2007113792.tif 000006
【図５】
2007113792.tif 000007
【図６】
2007113792.tif 000008
【図７】
2007113792.tif 000009
【図８】
2007113792.tif 000010
【図９】
2007113792.tif 000011